(57)【要約】【課題】  微細な切断角度でも容易に設定可能であり、かつ切断角度の視認性も良好な卓上丸鋸を提供する。【解決手段】  ベース上のターンテーブルの後方に切断部を揺動及び傾動可能に支持する支持部が設けられている。支持部は、ターンテーブル上に設けられた傾動支持部７１と、傾動支持部７１に回動可能に連結され、切断部を支持している傾動部７４と、傾動部７４の回動量を調整可能な傾動微調整部９１とを有している。傾動微調整部９１は、傾動部７１に設けられた微調整歯車９２と、微調整歯車９２を回動させる回転軸９２と、クランプシャフト８１に設けられて微調整軸９２を回動させる調整ノブ９４とを備え、調整ノブ９４を回転させることにより傾動微調整可能となっている。首台部の上方には切断部の傾動角を示すデジタル表示部が設けられている。【選択図】図１８
2006015574.tif 000002
【特許請求の範囲】
【請求項１】
加工部材を支持可能なベース部と、
切断刃を支持する切断部と、
該ベース部の上方で該切断部を揺動可能に支持すると共に、該ベース部に傾動可能に支持される支持部と、
該支持部の傾動位置を固定するクランプ部とを備えた卓上切断機において、
該ベース部には、傾動支持部が設けられ、
該支持部は、該切断部が揺動可能に接続されて該切断部の傾斜に応じて回動する傾動部を有し、該傾動支持部は該傾動部を傾動可能に支持すると共に該傾動部に当接可能に設けられ、
該クランプ部は該傾動部を該傾動支持部に押圧可能に設けられ、
該傾動部と該傾動支持部との間には、該傾動部の傾動支持部に対する回動位置に応じて回転する回転装置が設けられ、
該回転装置は、該傾動部の回動円周位置に設けられ該傾動部と一体に回動する傾動円弧部と、該傾動支持部に回転可能に支持されて該傾動円弧部と関連して該傾動円弧部を回動させる回転軸と、該傾動支持部に回転可能に支持されて該回転軸と関連して該回転軸を回転させる調整ノブと、より構成されていることを特徴とする卓上切断機。
【請求項２】
該傾動円弧部と該回転軸とは連動しており、該回転軸と該調整ノブとは連動していることを特徴とする請求項１に記載の卓上切断機。
【請求項３】
該回転軸は、該傾動円弧部と関連する関連位置と該傾動円弧部と離間する離間位置との間で移動可能であることを特徴とする請求項１に記載の卓上切断機。
【請求項４】
該クランプ部は、該傾動支持部に支持されるクランプシャフトを有し、該調整ノブは、該クランプシャフトに回転可能に設けられていることを特徴とする請求項１または請求項２に記載の卓上切断機。
【請求項５】
該傾動支持部に対する該傾動部の回転角度が表示されるデジタル表示部を更に備えることを特徴とする請求項１乃至請求項４のいずれか一に記載の卓上切断機。
【請求項６】
該ベース部は、該ベース部の面と該切断刃とが交差する線の延長線であって、該支持部の反対側位置付近に、該ベース部から該支持部の反対方向に延出される首部を有し、該首部には、該デジタル表示部が設けられていることを特徴とする請求項５に記載の卓上切断機。
【請求項７】
該クランプ部は、該傾動支持部に対して該傾動部の回動を許容する開放位置と、該傾動支持部に該傾動部が当接して該傾動部の回動位置が固定される固定位置との間で移動可能であり、
該回転軸は、該クランプ部が該固定位置にある時にのみ回転不能であることを特徴とする請求項１乃至請求項６のいずれか一に記載の卓上切断機。
【請求項８】
該クランプ部が該開放位置にある状態で、該傾動支持部に対する該傾動部の回動を抑制する傾動抑制機構を更に備えていることを特徴とする請求項１乃至請求項７のいずれか一に記載の卓上切断機。
【請求項９】
該傾動部の傾動支持部に対する回動の回動角に比較して、該傾動部の傾動支持部に対する回動に応じた該調整ノブの回転の回転角が大きいことを特徴とする請求項１乃至請求項９のいずれか一に記載の卓上切断機。
【請求項１０】
該支持部は、一端側で該ベース部に傾動可能に支持されると共に他端側に摺動支持部を備えた保持部と、
該摺動支持部に摺動可能に支持されて該ベース部の面と該切断刃とが交差する線と略平行な方向に移動可能なスライド部とを備え、該切断部は該スライド部に揺動可能に接続されることを特徴とする請求項１乃至請求項９のいずれか一に記載の卓上切断機。
【発明の詳細な説明】
【技術分野】
【０００１】
本発明は卓上丸鋸に関し、特に切断角度を変更可能な卓上丸鋸に関する。
【背景技術】
【０００２】
従来の卓上丸鋸においては、ベース部上に担持された木材等の被切断部材をベース部上方に設けられて上下に揺動する切断部の丸鋸刃で切断していた。この場合に、被切断部材を任意の角度に切断する場合には、ベース上で被切断部材の配置を変える必要があり、作業性が劣っていた。
【０００３】
よって、被切断部材を任意の角度に切断する際の作業性向上のため、特許文献１に示すように、切断部の丸鋸刃をベース部上面に対して傾動させて斜めとなるようにし、この状態で切断部を斜めに揺動して被切断部材を切断している。
【特許文献１】特開２０００−２５４８１７号公報
【発明の開示】
【発明が解決しようとする課題】
【０００４】
従来の卓上丸鋸で切断部を傾動させて任意の角度にする際は、例えば傾動の軸部分に分度器を設けて切断部とベースとの位置関係を把握している。この場合には、目視で目盛りを合わせるため、必然的に誤差が大きくなっていた。例えば０．１°単位の精度を必要とする場合では、目視でこの精度を出すことは容易なことではなかった。
【０００５】
また、切断部を傾動可能とすると、自重により切断部は傾動する。よって所定の角度にするためには、切断部を手で支えた上で所定の角度に目盛りを合わし、更に固定する必要があるため、切断部を精度良く所定の角度にすることは容易ではなかった。
【０００６】
そこで、本発明は、微細な切断角度でも容易に設定可能であり、かつ切断角度の視認性も良好な卓上丸鋸を提供することを目的とする。
【課題を解決するための手段】
【０００７】
上記目的を達成するために、加工部材を支持可能なベース部と、切断刃を支持する切断部と、該ベース部の上方で該切断部を揺動可能に支持すると共に、該ベース部に傾動可能に支持される支持部と、該支持部の傾動位置を固定するクランプ部とを備えた卓上切断機において、該ベース部には、傾動支持部が設けられ、該支持部は、該切断部が揺動可能に接続されて該切断部の傾斜に応じて回動する傾動部を有し、該傾動支持部は該傾動部を傾動可能に支持すると共に該傾動部に当接可能に設けられ、該クランプ部は該傾動部を該傾動支持部に押圧可能に設けられ、該傾動部と該傾動支持部との間には、該傾動部の傾動支持部に対する回動位置に応じて回転する回転装置が設けられ、該回転装置は、該傾動部の回動円周位置に設けられ該傾動部と一体に回動する傾動円弧部と、該傾動支持部に回転可能に支持されて該傾動円弧部と関連して該傾動円弧部を回動させる回転軸と、該傾動支持部に回転可能に支持されて該回転軸と関連して該回転軸を回転させる調整ノブと、より構成されている卓上切断機を提供する。
【０００８】
また、該傾動円弧部と該回転軸とは連動しており、該回転軸と該調整ノブとは連動していても良い。また、該回転軸は、該傾動円弧部と関連する関連位置と該傾動円弧部と離間する離間位置との間で移動可能であっても良い。
【０００９】
また、該クランプ部は、該傾動支持部に支持されるクランプシャフトを有し、該調整ノブは、該クランプシャフトに回転可能に設けられていることが望ましい。
【００１０】
また、該傾動支持部に対する該傾動部の回転角度が表示されるデジタル表示部を更に備えること望ましい。また、該ベース部は、該ベース部の面と該切断刃とが交差する線の延長線であって、該支持部の反対側位置付近に、該ベース部から該支持部の反対方向に延出される首部を有し、該首部には、該デジタル表示部が設けられていることが望ましい。
【００１１】
また、該クランプ部は、該傾動支持部に対して該傾動部の回動を許容する開放位置と、該傾動支持部に該傾動部が当接して該傾動部の回動位置が固定される固定位置との間で移動可能であり、該回転軸は、該クランプ部が該固定位置にある時にのみ回転不能であることが望ましい。また、該クランプ部が該開放位置にある状態で、該傾動支持部に対する該傾動部の回動を抑制する傾動抑制機構を更に備えていることが望ましい。
【００１２】
また、該支持部は、一端側で該ベース部に傾動可能に支持されると共に他端側に摺動支持部を備えた保持部と、該摺動支持部に摺動可能に支持されて該ベース部の面と該切断刃とが交差する線と略平行な方向に移動可能なスライド部とを備え、該切断部は該スライド部に揺動可能に接続されていても良い。
【発明の効果】
【００１３】
請求項１記載の卓上切断機によれば、切断部を所定の角度付近まで傾動させた状態で、調整ノブを回転して更に微調整を行うことが可能となる。その後にクランプ部で傾動部を傾動支持部に押圧して傾動部を傾動支持部に固定するため、切断部を正確に所定の角度に配置可能となる。
【００１４】
請求項２記載の卓上切断機によれば、傾動部の傾動支持部に対する回動と、回転軸及び調整の部の回転とが連動するため、切断部を傾動させる際は常に回転軸を介して調整ノブが回転することになる。
【００１５】
請求項３記載の卓上切断機によれば、回転軸が傾動円弧部と当接離間可能とすることにより、切断部を傾動させるときのみ回転軸を傾動円弧部に当接させることが可能となる。これにより、傾動部の傾動支持部に対する回動が回転軸により抑制されることが無くなり、好適に傾動部を回動させることが可能となる。
【００１６】
請求項４記載の卓上切断機によれば、クランプ部を構成するクランプシャフトと調整ノブを同位置に配することが可能となり、調整装置全体として省スペース化することが可能となり、実装性を増すことが可能となる。
【００１７】
請求項５記載の卓上切断機によれば、デジタル表示により、所定の角度の数値が表示される。よって、例えば０．１°程度の通常肉眼では認識することが容易ではない角度であっても、その数値を正確に認識することが可能となる。
【００１８】
請求項６記載の卓上切断機によれば、デジタル表示部がベース部の面と該切断刃とが交差する線の延長線であって、該支持部の反対側位置付近に、ベース部から支持部の反対方向に延出される首部に設けられる。一般に作業者はベース部の支持部が有る位置とは反対方向位置である卓上切断機の前方に位置して作業を行うため、首部にデジタル表示部が設けられることにより、表示される角度等の確認が容易になる。
【００１９】
請求項７記載の卓上切断機によれば、クランプ部が固定位置に無い場合には、回転軸が回転可能であるため、微調整が可能となる。またクランプ部が固定位置にある場合には、回転軸が回転不能となるため、傾動部が傾動支持部に固定されている状態で調整ノブにより傾動部が回動支持部に対して回動することが無くなる。
【００２０】
請求項８記載の卓上切断機によれば、クランプ部が固定位置にない場合でも、傾動抑制機構により該傾動支持部に対する傾動部の回動が抑制される。よって、切断部を傾動させる場合に、切断部を所定の位置付近にクランプ部で固定する際に、手等により切断部を保持する必要なく固定することが可能となる。
【００２１】
請求項９記載の卓上切断機によれば、傾動部の傾動支持部に対する回動の回動角より、傾動部の傾動支持部に対する回動に応じた調整ノブの回転角が大きいため、例えば調整ノブを回転させて傾動部を傾動支持部に対して回動させる際も、その回動による傾動量を僅かとすることが可能となり、切断部の傾動角の微調整をより容易に行うことが可能となる。
【００２２】
請求項１０記載の卓上切断機によれば、切断部が移動可能な幅が拡がり、より大きな加工部材を切断することが可能となる。
【発明を実施するための最良の形態】
【００２３】
本発明の第１の実施の形態による卓上切断機について図１乃至図４７を参照しながら説明する。図１及び図２に示す卓上切断機である卓上丸鋸１は、床面に配置されて上面に木材等の加工部材を担持するベース部２と、加工部材を切断する切断部４と、切断部４を揺動、傾動可能に支持する支持部３とより構成される。
【００２４】
ベース部２は、図１に示すように、接地部であるベース１１と、ベース１１に対して回動可能なターンテーブル２１と、ベース１１上で加工部材の側面に当接して加工部材の位置決めをするフェンス１２とを備えている。なお、以下の説明では、フェンス１２の加工部材に当接する面が向いている方向を卓上丸鋸１の前側、ベース１１が設置される床面側を卓上丸鋸１の下側、フェンス１２が延びる方向を左右方向と定義し、それぞれ前後左右側及び上下側として扱う。
【００２５】
ベース１１は、図１及び図３に示すように、ターンテーブル２１を挟んで左右に分離した右ベース１１Ａと左ベース１１Ｂとを備え、これら右ベース１１Ａと左ベース１１Ｂとの頂面が加工部材を担持する面となっている。右ベース１１Ａと左ベース１１Ｂとの間には、図３、図５に示すように、右ベース１１Ａと左ベース１１Ｂとに対して前方向に向けて弧状に形成される円弧部１６が設けられている。円弧部１６は、その側面部がターンテーブル２１の回転軸を中心点とする円周上に位置しており、円弧部１６の側面下部には、図５に示すように、後述のロックレバー２６の凸部２６Ｂと係合する複数の係止溝１６ａが形成されている。これら係止溝１６ａは、該中心点から前方にフェンス１２と直交して延びる軸を基準軸とし、基準軸（０°）に対して所定の角度、例えば１５°、３０°、４５°等の所定角度の位置に形成されている。また、図５に示すように、右ベース１１Ａと左ベース１１Ｂとの間には、床面に接して右ベース１１Ａと左ベース１１Ｂとを連結する連結部１５が設けられている。連結部１５の略中央付近には、ターンテーブル２１を回動可能に支持する回動支持部１９が設けられている。
【００２６】
フェンス１２は、図１及び図３に示すように、右フェンス１２Ａと左フェンス１２Ｂとより構成され、右ベース１１Ａ上に右フェンス１２Ａ、左ベース１１Ｂ上に左フェンス１２Ｂが担持されて固定されている。右フェンス１２Ａと左フェンス１２Ｂとの加工部材に当接する壁面はベース１１の加工部材を担持する上面と略直角に形成されている。また、左フェンス１２Ｂには、図２に示すように、左フェンス１２Ｂと別部品からなる回動フェンス１２Ｃが左フェンス１２Ｂに設けられた回転軸１２Ｄを軸として回動可能に設けられている。よって図４に示すように、切断部４を傾動させた場合に、回動フェンス１２Ｃを回動させることにより、切断部４を揺動させたとしても、後述の丸鋸刃１２３がフェンス１２に当接しない。
【００２７】
図５及び図６に示すように、連結部１５上面で回動支持部１９後方付近には、回動支持部１９の中心軸を中心とする円弧状の回動発生部である弧状外歯車２０がネジ２０Ａで固定されている。この弧状外歯車２０に対する後述の回動量検出ユニット５１（図１１）の相対移動により、ターンテーブル２１の回動量が検出される。
【００２８】
ターンテーブル２１は、図１に示すように、右ベース１１Ａと左ベース１１Ｂとに狭持されて上面で加工部材を担持するとともに回動の中心となる円台部２２と、円台部２２から前方向に延出されて、円弧部１６の上方に位置する首部となる首台部２３とを含んで構成されている。円台部２２と首台部２３との上面は、ベース１１の上面と略同一平面上に位置している。円台部２２と首台部２３との上面には、開口部が略紡錘形で底面が丸鋸刃１２３の円周に合った円弧状に凹んでいる弧状凹部２４が穿設されている。弧状凹部２４の開口部は切断溝プレート２５で覆われている。この切断溝プレート２５の略中央には、切断部４が揺動された際に丸鋸刃１２３が挿入される切断溝２５ａが形成されている。
【００２９】
また弧状凹部２４内で切断溝２５ａに対して左側の位置に、後述のマイコン１４２等に電力を供給可能な電池ボックス１３２（図６）が配置されている。
【００３０】
図６及び図７に示すように、弧状凹部２４の底面下方であって円台部２２の中心位置には回動軸部２８が設けられている。回動軸部２８はベース１１の回動支持部１９内空間に挿入されている。回動軸部２８及び回動支持部１９それぞれを一連に貫く孔内にはボルト３２が貫入され、ターンテーブル２１がベース１１に対して回動可能に固定されている。これにより、ターンテーブル２１はベース１１より外れることなく、ベース１１上で回動可能となる。
【００３１】
首台部２３の左側面には側面より突出する凸部２３Ａ（図１）が設けられており、ターンテーブル２１を回動した際に、左ベース１１Ｂの側面と当接する。首台部２３の右側面にも同様の凸部が設けられており、右ベース１１Ａと当接する。よってこれら凸部がベース１１の側面と当接する範囲内でベース１１に対してターンテーブル２１を回動させることが可能となる。
【００３２】
首台部２３の前側には、ターンテーブル２１の回動位置を微調整する調整装置４１（図１）が設けられている。ターンテーブル２１の下面には、図７及び図８に示すように、下面より突出しているピン固定部３０及びネジ固定部３１が設けられ、これらピン固定部３０及びネジ固定部３１の下方に、ベース１１の弧状外歯車２０と関係してターンテーブル２１の回動量を検出する回動量検出ユニット５１（図８）が設けられている。
【００３３】
また回動軸部２８の前方には、図５及び図６に示すように、ネジ２７でターンテーブル２１の下面に固定された弾性体であるロックレバー２６が、円弧部１６の下方側に配置されて設けられている。ロックレバー２６は、調整装置４１（図８）の前端位置まで延出され調整装置４１の前端側面に沿って上方向に向かって折り曲げられおり、折り曲げられた先端部分に押下部２６Ａが構成されている。また、ロックレバー２６の円弧部１６の側面下部と対峙する位置には、固定部である上方へ向けて突出する凸部２６Ｂが設けられており、この凸部２６Ｂと円弧部１６の側面下部に形成された被固定部である係止溝１６ａとが係合可能となっている。よって、ロックレバー２６を含んで回動するターンテーブル２１は、係止溝１６ａが設けられた所定の角度において、凸部２６Ｂと係止溝１６ａとが係止することにより、固定される。
【００３４】
調整装置４１には、図９及び図１０に示すように、凸部２６Ｂ時計し溝１６ａとの係止を回避する回避装置であるロックレバー固定ピン４９が調整装置４１の外殻となるフレーム４２に、左右に摺動可能に配置されている。ロックレバー固定ピン４９の先端付近にはその外周に渡って固定溝４９ａ（図２５）が穿設されている。また、ロックレバー固定ピン４９にはバネ５０が設けられており、ロックレバー固定ピン４９を右方向へと押圧している。ロックレバー２６のロックレバー固定ピン４９の摺動位置と重なる位置でロックレバー２６の左側側部より、舌片２６Ｃが上向きに延設されている。通常はバネ５０により固定ピン４９は右方位置に保持され、この保持状態で舌片２６Ｃと固定溝４９ａとは係合しない。この場合には、凸部２６Ｂが係止溝１６ａと係止することが可能となる。またロックレバー２６を押し下げて、ロックレバー固定ピン４９を左方向に押圧した状態でロックレバー２６を元に戻すと、ロックレバー固定ピン４９の先端と舌片２６Ｃとが係合する。これにより、凸部２６Ｂと係止溝１６ａとは係止不能となり、ターンテーブル２１の回動角度を任意の角度とすることが可能となる。
【００３５】
調整装置４１には、図８乃至図１０に示すように、ロックレバー固定ピン４９等の他に、フレーム４２の開口部４２ａを通って前後方向に貫通して、ベース１１の円弧部１６外周面にその先端が当接可能なベース当接部材である固定ハンドル４３と、固定ハンドル４３と略直交してフレーム４２の孔を貫通している移動部材である調整ネジ４４とを備えている。固定ハンドル４３の調整ネジ４４と直交する個所付近の軸４３Ａにはネジ加工されており、調整ネジ４４の固定ハンドル４３と直交する個所付近の軸４４Ａにもネジ加工されている。これら固定ハンドル４３と調整ネジ４４とに関係し、ターンテーブル２１から延設されたフレーム４２の一部である後述の前壁４７（図９）と当接するテーブル当接部材であるピース４５には、略直交する方向に延び、互いに重ならない孔である第一ネジ孔４５ａ（図１０）と第二ネジ孔４５ｂ（図１０）とが穿設されている。よって調整ネジ４４がピース４５と第二ネジ孔４５ｂで螺合すると共に、固定ハンドル４３もピース４５と第一ネジ孔４５ａで螺合する。従って、固定ハンドル４３と調整ネジ４４とは、ピース４５を介して直交して一体となっている。また固定ハンドル４３とピース４５とで係止部材を形成している。
【００３６】
ピース４５は、図９に示すように、フレーム４２から延設された前壁４７と後壁４８との間で移動可能に配置されている。ピース４５と前壁４７との間には、左右に並んだバネ４６が配置されており、ピース４５を後方向に押圧して後壁４８に当接させている。固定ハンドル４３をねじ込むとピース４５との螺合により、軸４３Ａがピース４５に対して後方へ移動する。しかし固定ハンドル４３をねじ込んで先端部が円弧部１６外周面に当接した後は、固定ハンドル４３はそれ以上後方へ移動することができないため、固定ハンドル４３とピース４５との相対的な移動により、ピース４５は前方へ移動する。また、調整ネジ４４は両端につまみ４４Ｂがフレーム４２を挟むように設けられており、フレーム４２に対して左右に移動することはない。調整ネジ４４とピース４５とは第二ネジ孔４５ｂにより螺合しているため、調整ネジ４４を回転させることにより、ピース４５と軸４４Ａとは相対的に左右に移動する。しかし、調整ネジ４４は、フレーム４２に対して左右方向に動くことはないため、ピース４５がフレーム４２内で左右に移動する。ターンテーブル２１は、凸部２６Ｂと係止溝１６ａとの係合により所定の位置に固定されるが、微調整を行う場合で特に０°、１５°等の係止溝１１６ａが形成されている角度付近では、上述のように凸部２６Ｂと係止溝１６ａとが係止不能とする。
【００３７】
回動量検出ユニット５１は、図１２及び図１３に示すように、略密閉されたハウジング５２内に、増幅部である第一歯車５６、第二歯車５８、被検出部６０及び光センサ６２を有している。第一歯車５６は、ハウジング５２内から外部へ突出して弧状外歯車２０と噛合して被回転部となる第一ギア５６Ａと、第一ギア５６Ａより大径で第二歯車５８と噛合する第二ギア５６Ｂとを一体として有し、軸５７で回転可能にハウジング５２内に固定されている。第二歯車５８は、第二ギア５６Ｂと噛合する第三ギア５８Ａと、第三ギア５８Ａより大径で被検出部６０と噛合する第四ギア５８Ｂとを一体として有し、軸５９で回転可能にハウジング５２内に固定されている。被検出部６０は、第四ギア５８Ｂと噛合する第五ギア６０Ａと略円盤形状の被検出要素６０Ｂとを一体として有し、軸６１で回転可能にハウジング５２内に固定されている。被検出要素６０Ｂは、放射状に１００本のスリット６０ｃが形成されている。また被検出要素６０Ｂは、光センサ６２より延出される一対の腕部の間に保持されている。この腕部でスリット６０ｃを検出して被検出要素６０Ｂの回転角を測定する。
【００３８】
光センサ６２は、図示せぬ２つの発光部と図示せぬ２つの受光部とを備えており、２つの発光部は２つの受光部とそれぞれ対向配置されている。図示せぬ２つの発光部と図示せぬ２つの受光部との間の位置には、被検出要素としての被検出要素６０Ｂが配置されており、被検出要素６０Ｂの回転に伴い、２つの発光部から発せられた光が被検出要素６０Ｂに形成されたスリット６０ｃを通過して、対向する２つの受光部に受光されたり、互いに隣接するスリット６０ｃとスリット６０ｃとの間の被検出要素６０Ｂの部分によって遮られて、対向する２つの受光部によって受光されなかったりするように構成されている。
【００３９】
図示せぬ２つの発光部及び受光部は、互いに被検出要素６０Ｂの周方向へずれた位置関係をなしている。図示せぬ２つの発光部のずれは、被検出要素６０Ｂの回転に伴いマイコン１４２で検出されるパルスが、図４６に示されるように、互いに位相が９０°ずれる程度である。図４６においては、一方の図示せぬ受光部で検出されたパルスがパルスＡであり、他方の図示せぬ受光部で検出されたパルスがパルスＢである。
【００４０】
このように、互いに位相が９０°ずれた２種類のパルスＡ、Ｂが検出されるため、被検出要素６０Ｂの回転方向が時計方向か反時計方向か、即ち、ターンテーブル２１の回転方向が時計方向か反時計方向かを検出することができる。
【００４１】
より具体的には、例えば、図４６に示されるパルスのハイを１としローを０とし、現在パルスＡが０且つパルスＢが０の状態であるとすると、次にパルスＡが１且つパルスＢが０の状態となったとすると、時計周り方向、即ち、図４６の右方向にターンテーブル２１が回転していると判断することができる。逆に、現在パルスＡが０且つパルスＢが０の状態であるとすると、次にパルスＡが０且つパルスＢが１の状態となったとすると、反時計周り方向、即ち、図４６の左方向にターンテーブル２１が回転していると判断することができる。尚、ターンテーブル２１が１°回動するのに対して、被検出部６０が７２°回転するように、回動量検出ユニット５１内ギアの増幅比が設定されている。
【００４２】
また回動量検出ユニット５１は、図１３に示すように、第一歯車５６付近のハウジング５２にピン孔５３、ネジ固定部５４が形成されている。ネジ固定部５４は、一部が開口したＣの字形状の孔を有している。図１４に示すように、ネジ６４がネジ固定部３１に取り付けられた際にも、ネジ６４により締め付けられていない限りは、ネジ６４と離間することができる。よって回動量検出ユニット５１は、ピン孔５３によりピン６３でターンテーブル２１に対し回動可能になる。また、ユニット固定部であるネジ６４により、回動量検出ユニット５１を所望の角度でターンテーブル２１に対し回動不能に固定することも可能である。尚、ネジ６４は、ネジ固定部３１との間にバネ６４Ａを有しているため常に反力を受けるため、ネジ６４が締め付けられていない状態でも振動等により外れることはない。
【００４３】
図１１に示すように、回動量検出ユニット５１がターンテーブル２１に取り付けられた状態で、ターンテーブル２１の下面より突出する当接板２１Ａとハウジング５２の当接部５２Ａとの間にユニット押圧部であるバネ５５が設けられる。このバネ５５による押圧力で、回動量検出ユニット５１は、第一ギア５６Ａを当接箇所として弧状外歯車２０に圧接されている。よって、弧状外歯車２０に対する第一ギア５６Ａのガタが発生しにくく、ベース１１に対するターンテーブル２１の回動を正確に検出することが可能となる。
【００４４】
支持部３は、図６及び図７に示すように、ターンテーブル２１の後端側に設けられた傾動支持部７１に対して回動する傾動部７４を含んで構成されている。
【００４５】
傾動支持部７１は、図６に示すように、ターンテーブルの２１の後端側に設けられ、上方向へ延設されている。傾動支持部７１には、図１５に示すように、ターンテーブル２１上面と同一平面でかつ切断溝２５ａ（図１）の中心と同軸の支持孔７２が形成されており、この支持孔７２に傾動部７４側のピン状ボルト７６が挿入されて傾動支持部７１と傾動部７４とを連結する。また傾動支持部７１の傾動部７４と接する壁には、略円形に刳り貫かれた凹部７１ａが形成されており、この凹部７１ａ内に、支持孔７２の中心軸を中心とする円弧状の傾動発生部である弧状内歯車７７が図示せぬネジで固定されている。
【００４６】
図１８に示すように、傾動部７４の傾動支持部７１と当接する個所には回動壁７８が形成されている。この回動壁７８の略中心に穿設された回動孔７５内にピン状ボルト７６が設けられている。よって傾動支持部７１の後面側である凹部７１ａ縁部分に回動壁７８が当接し、傾動部７４が傾動支持部７１に対して回動する場合は、回動面７８が凹部７１ａ縁部分に対して摺動しながら回動する。また、回動壁７８の端部からは、ピン状ボルト７６と略平行で傾動支持部７１から傾動部７４へ向かう方向に傾動部壁７４Ａが延設されている。
【００４７】
図１６に示すように、傾動部７４の回動孔７５の右側には、回動孔７５を中心とする円弧状の長孔縁８０で画成される長孔７９が、傾動部７４の後面から回動面に貫通して形成されている。また傾動支持部７１であって長孔７９と対峙する個所には、後述のクランプシャフト８１を螺合するクランプ孔７３が穿設されている。また回動孔７５の左側で、回動壁７８と傾動部壁７４Ａとに囲まれた位置には、弧状内歯車７７と関係して傾動支持部７１に対する傾動部７４の回動量を検出する傾動量検出ユニット１０１が設けられ、回動孔７５の上方には、切断部４を支持する一対の揺動支持腕８４が設けられ、揺動支持腕８４の間には切断部４と支持部３とを連結する揺動支持ピン８５（図１５）が設けられている。長孔縁８０、傾動量検出ユニット１０１、ピン状ボルト７６は、傾動部壁７４Ａ端部に設けられたカバー８７（図２）により保護され、外部には露出していない。左側の揺動支持腕８４には後述のアーム１２７が取り付けられるアーム支持部８６が設けられている（図１）。
【００４８】
クランプシャフト８１は、先端がネジ加工されており、図１８に示すように、クランプ孔７３と螺合する。よって、傾動部７４の回動によって長孔７９内でクランプシャフト８１が相対的に移動可能な範囲でのみ、傾動部７４は傾動支持部７１に対して回動することが可能となり、当該第一の実施の形態では、約４５°の範囲内で回動することが可能となる。
【００４９】
長孔７９を画成する長孔縁８０は、図１８に示すように、傾動部７４の後面より後側に突出している。クランプシャフト８１の後端にはクランプレバー８２が設けられており、このクランプレバー８２と長孔縁８０の間には内部にバネ８３Ａを内蔵したスペーサ８３が設けられている。クランプシャフト８１は傾動支持部７１と螺合しているため、クランプレバー８２を回転させクランプシャフト８１を締め込むことにより、クランプレバー８２及びスペーサ８３は、傾動支持部７１側に移動する。スペーサ８３と傾動支持部７１との間には、傾動部７４の一部である長孔縁８０が介在しているため、スペーサ８３と傾動支持部７１との間で長孔縁８０は狭持される。従って、回動壁７８と傾動支持部７１との間に摩擦力が発生し、傾動支持部７１に対して傾動部７４が固定される。よって、これらクランプシャフト８１、クランプレバー８２、スペーサ８３及びバネ８３Ａからクランプ部が構成される。また、このスペーサ８３内のバネ８３Ａにより、クランプレバー８２が長孔縁８０を介し傾動支持部７１に対して後方へ押圧されるため、クランプレバー８２の不意の回転を抑制しガタを押さえることが可能となる。
【００５０】
クランプシャフト８１の周辺には、図１７、図１８に示すように、傾動部７４の傾動支持部７１に対する回動量を微調整可能な回転装置９１が設けられている。回転装置９１は、傾動部７４に固定された傾動円弧部である傾動円弧歯車９２と、傾動円弧歯車９２と噛合する回転軸９３と、回転軸９３と噛合する調整ノブ９４とを含んでいる。傾動円弧歯車９２は、回動孔７５の中心軸を中心とした円弧状に形成されている歯車であり、傾動部７４の長孔７９周辺外周部分に固定されている。回転軸９３は、傾動支持部７１に回転可能に固定されており、クランプシャフト８１と略平行に後方に延出されている。回転軸９３の傾動円弧歯車９２と関係する位置には、第一ギア９３Ａが設けられており、傾動円弧歯車９２と噛合している。回転軸９３の後端には、第一ギア９３Ａより大径の第二ギア９３Ｂが設けられている。調整ノブ９４は、クランプシャフト８１に外挿されて自由回転可能に支持されている。調整ノブ９４をクランプシャフト８１に外挿して、同軸とすることにより、省スペースとすることができ、微調整部９１全体としての実装性を向上させている。
【００５１】
調整ノブ９４の前方には第三ギア９４Ａが一体かつ同軸的に設けられており、第二ギア９３Ｂと噛合している。尚、傾動円弧歯車９２から調整ノブ９４までは常に噛合しているため、切断部４を傾動させて傾動部７４を回動させている時には、調整ノブ９４は常に回転状態にある。
【００５２】
傾動量検出ユニット１０１は、図１９及び図２０に示すように、略密閉されたハウジング１０２内に、増幅部である第一歯車１０６、第二歯車１０８、被検出部１１０及び光センサ１１２を有している。第一歯車１０６は、ハウジング１０２内から外部へ突出して、傾動部７４に穿設された孔を貫通して弧状内歯車７７と噛合して被回転部となる第一ギア１０６Ａと、第一ギア１０６Ａより大径で第二歯車１０８と噛合する第二ギア１０６Ｂとを一体として有し、軸１０７で回転可能にハウジング１０２内に固定されている。第二歯車１０８は、第二ギア１０６Ｂと噛合する第三ギア１０８Ａと、第三ギア１０８Ａより大径で被検出部１１０と噛合する第四ギア１０８Ｂとを一体として有し、軸１０９で回転可能にハウジング１０２内に固定されている。被検出部１１０は、第四ギア１０８Ｂと噛合する第五ギア１１０Ａと略円盤形状の被検出要素１１０Ｂとを一体として有し、軸１１１で回転可能にハウジング１０２内に固定されている。被検出要素１１０Ｂは、被検出要素として放射状に１００本のスリット１１０ｃが形成されている。また被検出要素１１０Ｂは、光センサ１１２より延出される一対の腕部の間に保持されている。この腕部でスリット１１０ｃを検出して被検出要素１１０Ｂの回転角を測定する。
【００５３】
光センサ１１２は、図示せぬ２つの発光部と図示せぬ２つの受光部とを備えており、２つの発光部は２つの受光部とそれぞれ対向配置されている。図示せぬ２つの発光部と図示せぬ２つの受光部との間の位置には、被検出要素１１０Ｂが配置されており、被検出要素１１０Ｂの回転に伴い、２つの発光部から発せられた光が被検出要素６０Ｂに形成されたスリット１１０ｃを通過して、対向する２つの受光部に受光されたり、互いに隣接するスリット１１０ｃとスリット１１０ｃとの間の被検出要素１１０Ｂの部分によって遮られて、対向する２つの受光部によって受光されなかったりするように構成されている。
【００５４】
図示せぬ２つの発光部及び受光部は、互いに被検出要素１１０Ｂの周方向へずれた位置関係をなしている。図示せぬ２つの発光部のずれは、被検出要素１１０Ｂの回転に伴い光センサ１１２で検出されるパルスが、互いに位相が９０°ずれている。互いに位相が９０°ずれた２種類のパルスが検出されるため、被検出要素１１０Ｂの回転方向が時計方向か反時計方向か、即ち、切断部４の回転方向が時計方向か反時計方向かを検出することができる。
【００５５】
図示せぬ２つの発光部及び受光部は、互いに被検出要素１１０Ｂの周方向へずれた位置関係をなしている。図示せぬ２つの発光部のずれは、被検出要素１１０Ｂの回転に伴いマイコン１４２で検出されるパルスが、図４７に示されるように、互いに位相が９０°ずれる程度である。図４７においては、一方の図示せぬ受光部で検出されたパルスがパルスＡであり、他方の図示せぬ受光部で検出されたパルスがパルスＢである。
【００５６】
このように、互いに位相が９０°ずれた２種類のパルスＡ、Ｂが検出されるため、被検出要素６０Ｂの回転方向が時計方向か反時計方向か、即ち、切断部４の傾動方向が時計方向か反時計方向かを検出することができる。
【００５７】
より具体的には、例えば、図４７に示されるパルスのハイを１としローを０とし、現在パルスＡが０且つパルスＢが０の状態であるとすると、次にパルスＡが１且つパルスＢが０の状態となったとすると、時計周り方向、即ち、図４７の左方向に傾動部７４が回転していると判断することができる。逆に、現在パルスＡが０且つパルスＢが０の状態であるとすると、次にパルスＡが０且つパルスＢが１の状態となったとすると、反時計周り方向、即ち、図４７の右方向に切断部４が傾動していると判断することができる。尚、傾動部７４が１°回動するのに対して、被検出部１１０が７２°回転するように、傾動量検出ユニット１０１内ギアの増幅比が設定されている。
【００５８】
また傾動量検出ユニット１０１は、図１９に示すように、第一歯車１０６付近のハウジング１０２にピン孔１０３、ネジ固定部１０４が形成されている。ネジ固定部１０４は、一部が開口したＣの字形状の孔であるため、図２２に示すように、ネジ１１４が傾動部７４に取り付けられた際にも、ネジ１１３により締め付けられていない限りは、ネジ１１４と離間することができる。よって傾動量検出ユニット１０１は、ピン孔１０３によりピン１１３で傾動部７４に対し回動可能になる。また、ユニット固定部であるネジ１１４により、傾動量検出ユニット１０１を所望の角度で傾動部７４に対し回動不能に固定することも可能である。尚、ネジ１１４は、傾動部７４との間にバネ１１４Ａを有しているため常に反力を受けるため、ネジ６４が締め付けられていない状態でも外れることはない。図１９に示すように、傾動量検出ユニット１０１が傾動部７４に取り付けられた状態で、回動孔７５縁とフレーム１０２の当接部１０２Ａとの間にユニット押圧部であるバネ１０５が設けられる。このバネによる押圧力で、傾動量検出ユニット１０１は、第一ギア１０６Ａを当接箇所として弧状内歯車７７に圧接されている。よって、弧状内歯車７７に対する第一ギア１０６Ａのガタが発生しにくく、傾動支持部７１に対する傾動部７４の回動を正確に検出することが可能となる。
【００５９】
傾動量検出ユニット１０１を取り付ける際に、第一ギア１０６Ａが押圧されて弧状内歯車７７と噛合可能な位置にあると、取り付け難い。よってその場合には、図２１に示すように、バネ１０５が縮まった位置で傾動量検出ユニット１０１をネジ１１４で固定して取り付けても良い。そして傾動量検出ユニット１０１を取り付けた後にネジ１１４を緩めて、バネ１０５により傾動量検出ユニット１０１を回動させて、第一ギア１０６Ａと弧状内歯車７７とを交合させる。
【００６０】
切断部４は、図１に示すように、フレーム１２１が揺動支持ピン８５で揺動支持腕８４に接続されている。フレーム１２１と揺動支持腕８４との間には、図示せぬバネが仕込まれており、フレーム１２１を上方へ持ち上げている。よって切断部４は非切断時には最上位置にある。
【００６１】
フレーム１２１の先端部分には、図示せぬモータを内蔵するモータハウジング１２２が設けられており、モータハウジング１２２の外周前側には切断部４を押し下げる際に把握するハンドル１２８が設けられている。モータハウジング１２２の回転軸１２４には丸鋸刃１２３が固定されている。丸鋸刃１２３上半分は、鋸刃カバー１２５で覆われている。また下半分については鋸刃カバー１２５に沿って回動可能なセーフティカバー１２６で覆われている。セーフティカバー１２６には、セーフティカバー１２６の回動機構となるアーム１２７の一端が取り付けられている。このアーム１２７の他端はアーム支持部８６に取り付けられている。またフレーム１２１の略中央付近には、卓上丸鋸１を持ち運ぶ際に把握する移動用ハンドル１２９（図２）が設けられている。
【００６２】
図１に示すように、調整装置４１の上方には、デジタル表示部１３１が設けられている。このデジタル表示部１３１では、図２３に示すように、ターンテーブル２１の回動角度が０．２°単位で表示され、切断部４の傾斜角度が０．５°単位で表示される。よって、回動角度、傾斜角度を高精度かつ容易に確認することが可能となる。
【００６３】
またデジタル表示部１３１では、図２４に示すように、制御部であるマイコン１４２より出力される信号に基づき角度が表示される。マイコン１４２は、検出結果を演算可能な演算手段を備え、かつ電気的に内容を書き換え可能なＥＥＰＲＯＭ１４３、回動量検出ユニット５１の光センサ６２及び傾動量検出ユニット１０１の光センサ１１２で検出される信号をマイコン１４２に入力可能に変換するＭｉｔｅｒ用エンコーダ１４４及びＢｅｖｅｌ用エンコーダ１４５を備えている。マイコン１４２には、電池ボックス１３２、交流電源を直流電源に変換するＡＣ／ＤＣコンバータ１４６及び供給電力を安定させるレギュレータ１４７が接続されている。これら電池ボックス１３２及びＡＣ／ＤＣコンバータ１４６は、Ｍｉｔｅｒ用エンコーダ１４４及びＢｅｖｅｌ用エンコーダ１４５やデジタル表示部１３１にも接続されて電源を供給している。また電池ボックス１３２よりの電源とＡＣ／ＤＣコンバータ１４６を介しての主電源よりの電源とは、主電源がＯＦＦ状態では電池ボックス１３２よりの電源が供給され、主電源がＯＮ状態では主電源よりの電源が供給されるように制御されている。尚電池ボックス１３２より供給される電源は、図示せぬモータ等の動力としての電力は供給されず、マイコン１４２や、Ｍｉｔｅｒ用エンコーダ１４４及びＢｅｖｅｌ用エンコーダ１４５等の制御、測定に係る電力のみに供給される。
【００６４】
また、マイコン１４２には、回動角度をリセットするＭｉｔｅｒリセットスイッチ１４８、傾斜角度をリセットするＢｅｖｅｌリセットスイッチ１４９、デジタル表示部１３１のバックライトを点灯するバックライトスイッチ１５０が接続されている。また、マイコン１４２による各光センサ６２、１１２よりの出力の演算結果がデジタル表示部１３１に表示されている。
【００６５】
以下、卓上丸鋸１で加工部材を切断する際の動作説明を行う。卓上丸鋸１で加工部材を切断する際には、加工部材をフェンス１２の当接面に当接させベース１１上面に担持する。その後に切断部４をハンドル１２８により引き下げて加工部材を切断するが、例えば加工部材を、フェンス１２の当接面に対して斜めに切断したい場合や、ベース１１上面に対して斜めに切断したい場合がある。この場合については、以下の手順で切断を行う。
【００６６】
加工部材を、フェンス１２の当接面に対して斜めに切断したい場合は、ターンテーブル２１を回動させる。切断部４はターンテーブル２１上に設けられているため、ターンテーブル２１と一緒に回動する。またフェンス１２はベース１１に固定されているため、加工部材に対して切断部４の丸鋸刃１２３は加工部材上方から見て斜めに切断されることになる（以下、この切断状態を角度切りと定義する）。
【００６７】
角度切りを行う際に、加工部材の切断角度を、係止溝１６ａと凸部２６Ｂとの係合により定められる角度とする場合には、ロックレバー２６が押し下げられていない状態でターンテーブル２１を回動させる。そして所望の角度の係止溝１６ａに凸部２６Ｂが係合した位置で、固定ハンドル４３を回らなくなるまで締め込み、固定ハンドル４３の先端をベース１１の円弧部１６に押圧してターンテーブル２１をベース１１に対して固定する。この場合には、係止溝１６ａと凸部２６Ｂとの係合により、ベース１１に対するターンテーブル２１の回動角度が正確に定められるため、特に回動角度の微調整を行う必要はない。
【００６８】
また、加工部材の切断角度を、任意の角度にする場合には、ロックレバー２６の押下部２６Ａを押し下げると共に、図２５に示すように、ロックレバー固定ピン４９をフレーム４２内に押し込み、舌片２６Ｃを固定溝４９ａに掛止する。これにより、凸部２６Ｂが係止溝１６ａの位置にあっても係止溝１６ａに係合することなく任意の角度に設定することが可能となる。舌片２６Ｃを固定溝４９ａに掛止した後に、ターンテーブル２１を任意の角度付近まで回動させる。当該実施の形態に係る卓上丸鋸１は、回動角度が０．２°単位まで表示されるため、ターンテーブル２１を、固定ハンドル４３等を握持してそのまま回転させて正確に任意の角度にするのは容易ではない。よって、任意の角度付近まで回動させた後に、微調整を行い、正確に任意の角度とする。
【００６９】
具体的には、図２６に示すように、ベース１１に設けられた円弧部１６に対して、ターンテーブル２１に設けられた調整装置４１を任意の角度付近に配置する。この状態では、固定ハンドル４３先端と円弧部１６の外周とは離間しており、またピース４５は、バネ４５の付勢力により開放位置である後壁４８と当接する位置にある。
【００７０】
次に図２７に示すように、固定ハンドル４３を回して先端を円弧部１６に当接させネジとネジ孔との螺進退運動により、ピース４５を後壁４８から離間させ仮固定位置である調整位置に配置する。この場合、固定ハンドル４３はベース当接部材として作用すると共に固定装置としても作用する。この位置では、ピース４５と前壁４７との間は離間しており、かつバネ４６が介在しているため、このバネの反力により、ピース４５と螺合関係にある固定ハンドル４３は円弧部１６に押圧される。この状態では固定ハンドル４３とピース４５と円弧部１６とは互いの位置関係が固定される。しかし、ピース４５は、フレーム４２に対しては、直接螺合等により固定等されておらず、バネ４６によりフレーム４２内に支持されているのみの状態であるため、図２８に示すように、調整ネジ４４を回転させることにより、フレーム４２に対するピース４５の相対的な位置、即ち固定ハンドル４３の先端が円弧部１６側面に当接することにより回動不能となった固定ハンドル４３及びピース４５に対するフレーム４２の回動方向の位置を微調整することが可能となる。この時に、微調整できる範囲は、固定ハンドル４３の軸４３Ａに対し、図２８に示すように、フレーム４２の開口部４２ａの範囲内であり、これはターンテーブル２１の回動量で約±２°の範囲である。
【００７１】
また、ターンテーブル２１を回動させることにより、弧状外歯車２０に対して回動量検出ユニット５１が回動し、この回動量が第一ギア５６Ａを有する第一歯車５６での回転量となる。第一歯車５６の回転量に係る回転角は第二歯車５８及び被検出部６０で増幅され、ターンテーブル２１が１°回動することにより、被検出部６０は７２°回転することになる。被検出要素６０Ｂには一周１００スリットが形成されているため、７２°の間には２０スリットあり、ターンテーブル２１の少なくとも０．０５°の回動を検出することが可能となる。また、卓上丸鋸１では、切断時に切り屑が発生するが、第一歯車５６や、光センサ６２等は、ハウジング５２内に設置されており、かつハウジング５２は略密閉構造であるため、内部に切り屑等が入り込むことなく、高精度にターンテーブル２１の回動量を検出することが可能となる。よって微調整を行う際には、デジタル表示部１３１の回動角表示を見ながら行うことにより、正確に所定の角度に合わせることができる。
【００７２】
微調整により、ターンテーブル２１の位置を正確に任意の角度に微調整した後に、固定ハンドル４３を更に締め込む。これにより、バネ４６が圧縮され、図２９に示すように、ピース４５が本固定位置である前壁４７と当接する位置に移動する。この状態では、ピース４５がフレーム４２から延設されている前壁４７に押し付けられて、移動することができないため、調整ネジ４４を回転してもフレーム４２とピース４５との相対的な位置変化は生じず、従って、ピース４５と一体となっている円弧部１６に対してフレーム４２の位置ずれは抑制される。よって円弧部１６と連接しているベース１１に対してフレーム４２と連接しているターンテーブル２１の位置ずれが発生することが防止される。よって、任意の角度で角度切りを行う際にも正確な角度に素早く設定し、加工部材を切断することが可能となる。
【００７３】
次に、加工部材をベース１１の当接面に対して斜めに切断したい場合は、図４に示すように、切断部４を傾動させる。切断部４は、傾動部７４に支持されているため、傾動部７４を傾動支持部７１に対して回動可能とするために、クランプシャフト８１を緩め、回動壁７８と傾動支持部７１との当接状態を開放する。これにより切断部４は自重により傾動状態になる。この状態で、加工部材に対して切断部４の丸鋸刃１２３は加工部材前から見て斜めに切断されることになる（以下、この切断状態を傾斜切りと定義する）。
【００７４】
傾斜切りでは、任意の傾斜角度で加工部材を切断する際には、手動により予め任意の傾斜角度になるように切断部４を保持する（図３０）。この状態で調整ノブ９４を回転させて傾動部７４を徐々に回動させる。
【００７５】
また、傾動部７４を回動させることにより、弧状内歯車７７に対して傾動量検出ユニット１０１が回動し、この回動量が第一ギア１０６Ａを有する第一歯車１０６での回転量となる。第一歯車１０６の回転量に係る回転角は第二歯車１０８及び被検出部１１０で増幅され、傾動部７４が１°回動することにより、被検出部１１０は７２°回転することになる。被検出要素１１０Ｂには一周１００スリットが形成されているため、７２°の間には２０スリットあり、傾動部７４の少なくとも０．０５°の回動を検出することが可能となる。
【００７６】
また、卓上丸鋸１では、切断時に切り屑が発生するが、第一歯車１０６や、光センサ１１２等は、ハウジング１０２内に設置されており、かつハウジング１０２は略密閉構造であるため、内部に切り屑等が入り込むことなく、高精度に傾動部７４の回動量を検出することが可能となる。よって微調整を行う際には、デジタル表示部１３１の回動角表示を見ながら行うことにより、正確に所定の角度に合わせることができる。そして正確に所定の角度に合わせた後にクランプレバー８２によりクランプシャフト８１を回し、傾動部７４を傾動支持部７１に固定する。これにより、切断部４を任意の角度に正確に固定することが可能となり、任意の角度で傾斜切りを行う際にも正確な角度で加工部材を切断することが可能となる。
【００７７】
以下、上記の角度切り及び傾斜切りを行った際のデジタル表示部１３１での角度表示に係る制御を説明する。卓上丸鋸１では、電池ボックス１３２が設けられているため、電池ボックス１３２により電源投入後は、常時回動角度及び傾斜角度を検出可能となる。
【００７８】
先ず電池ボックス１３２に電池を装着すると図３１の制御がスタートする。スタートした後、Ｓ０１で回動角度、傾斜角度のＲＡＭへの記憶値を０°とする。このＲＡＭは記憶手段でありマイコン１４２に内蔵された図示せぬＲＡＭである。そしてＳ０２へ進み、光センサ６２及び光センサ１１２での光パルスのカウント値を０に設定する。
【００７９】
次にＳ０３へ進んでＡＣ電源が接続されたか否かをマイコン１４２で検出する。ここでＡＣ電源の接続が確認されなければＳ０７へ進み、デジタル表示部１３１への電源供給を停止して角度表示を停止し、またバックライトスイッチ１５０が押されていてバックライトが表示されていた場合は、これも消してＳ０８へと進む。ＡＣ電源の接続が確認されればＳ０４へ進み、所定の角度（上記の０°）を表示してＳ０５へと進む。Ｓ０５ではバックライトスイッチ１５０が押されているか否かを判断する。ここでバックライトスイッチ１５０が押されているならば、Ｓ０６へ進み、バックライトを点灯させた後にＳ０８へと進む。バックライトスイッチ１５０が押されていないならば、Ｓ０８へと進む。
【００８０】
Ｓ０８では、光センサ１１２の光パルスの有無を検出する。ここで光パルスの検出がされない場合（Ｓ０８：Ｎｏ）は、スリット１１０ｃが形成された被検出部１１０が回転していない状態、即ち傾動部７４が回動せず、切断部４が傾動していない状態であるため、以下の傾動に係るフローを省略し、次に回動に係るフローであるＳ１７へ進む。光パルスが検出された場合（Ｓ０８：Ｙｅｓ）はＳ０９へと進む。
【００８１】
Ｓ０９では切断部４の傾動の方向を確認する。卓上丸鋸１を前方から見て、切断部４が左側に倒れる方向、即ち傾動部７４が傾動支持部７１に対して反時計方向に回動する場合は、Ｓ１１へ進んで回動量分のパルス数を加算し、Ｓ１２に進んでデジタル表示部１３１に表示される角度をマイコン１４２で演算する。卓上丸鋸１を前方から見て、切断部４が右側に起きあがる方向、即ち傾動部７４が傾動支持部７１に対して時計方向に回動する場合は、Ｓ１０へ進んで回動量分のパルス数を減算し、Ｓ１２に進んでデジタル表示部１３１に表示される角度をマイコン１４２で演算する。具体的には、被検出部１１０Ｂで検出したパルス数を、２０パルス分で１°の傾動として、０．０５°刻みでＲＡＭに記憶していた角度に対して加減算する。Ｓ１２で表示角度を演算した後、Ｓ１３へ進んで表示角度をＲＡＭに記憶する。
【００８２】
次にＳ１４へ進み、Ｂｅｖｅｌリセットスイッチ１４９が押されているか否かを判断する。Ｓ１３までで設定した角度を０°とする場合にはＢｅｖｅｌリセットスイッチ１４９を押す。ここでＢｅｖｅｌリセットスイッチ１４９が押されない場合（Ｓ１４：Ｎｏ）には、そのままＳ１７へ進み、ターンテーブル２１の回動角度の検出に移る。またＢｅｖｅｌリセットスイッチ１４９が押された場合（Ｓ１４：Ｙｅｓ）には、Ｓ１５へ進み、光パルスのカウント数をリセットして０とし、Ｓ１６へ進んで、ＲＡＭに記憶していた値をクリアして０°とする。そしてＳ１７へ進む。
【００８３】
Ｓ１７以降では、ターンテーブル２１の回動角度の検出を行う。まずＳ１７では、光センサ６２の光パルスの有無を検出する。ここで光パルスの検出がされない場合（Ｓ１７：Ｎｏ）は、スリット６０ｃが形成された被検出部６０が回転していない状態、即ちターンテーブル２１が回動していない状態であるため、以下の回動に係るフローを省略し、Ｓ０３へと戻る。光パルスが検出された場合（Ｓ１７：Ｙｅｓ）はＳ１８へと進む。
【００８４】
次にＳ１８でターンテーブル２１の回動の方向を確認する。卓上丸鋸１を上方から見て、ターンテーブル２１が反時計方向に回動する場合は、Ｓ２０へ進んで回動量分のパルス数を減算し、Ｓ２１に進んでデジタル表示部１３１に表示される角度をマイコン１４２で演算する。卓上丸鋸１を上方から見てターンテーブル２１が時計方向に回動する場合は、Ｓ１９へ進んで回動量分のパルス数を加算し、Ｓ２１に進んでデジタル表示部１３１に表示される角度をマイコン１４２で演算する。具体的には、被検出部６０Ｂで検出したパルス数を、２０パルス分で１°の回動として、０．０５°刻みでＲＡＭに記憶していた角度に対して加減算する。Ｓ２１で表示角度を演算した後、Ｓ２２へ進んで表示角度をＲＡＭに記憶する。
【００８５】
次にＳ２３へ進み、Ｍｉｔｅｒリセットスイッチ１４８が押されているか否かを判断する。Ｓ２２までで設定した角度を０°とする場合にはＭｉｔｅｒリセットスイッチ１４８を押す。ここでＭｉｔｅｒリセットスイッチ１４８が押されない場合（Ｓ２３：Ｎｏ）には、そのままＳ０３へ戻り、上記フローを再度繰り返す。またＭｉｔｅｒリセットスイッチ１４８が押された場合（Ｓ２３：Ｙｅｓ）には、Ｓ２４へ進み、光パルスのカウント数をリセットして０とし、Ｓ２５へ進んで、ＲＡＭに記憶していた値をクリアして０°とする。そしてＳ０３へと戻り、以下同様にフローを繰り返す。
【００８６】
尚、上記のフローにおいて、回動角度を演算するためのステップ（Ｓ１７〜Ｓ２５）を、傾斜角度を演算するためのステップ（Ｓ０８〜Ｓ１６）よりも先に行ってもよく、また、マルチタスク処理等により、一連のステップ（Ｓ０８〜Ｓ１６）を一連のステップ（Ｓ１７〜Ｓ２５）とあたかも同時に行っているかのように処理してもよい。
【００８７】
上記一連のフローは電池ボックス１３２より電力が供給されている限りは、常に行われているため、主電源となるＡＣ電源を接続しない場合であっても、常にターンテーブル２１の回動角及び切断部４の傾斜角度を把握することが可能となり、ＡＣ電源を接続した際に、特に傾斜角及び回動角を調整することなく使い始めることが可能となる。また、電池ボックス１３２よりの電力供給は、電池ボックス１３２内の電池に蓄えられた電気の量に左右され、これが空になると電力供給が停止する。よって、主電源が接続されている場合は、電池ボックス１３２よりの電力供給を遮断し、主電源の接続が切断されると同時に電池ボックス１３２より上記マイコン１４２等に電力供給がされるような制御を組み込んでも良い。
【００８８】
本発明による卓上丸鋸は、上述した実施の形態に限定されず、特許請求の範囲に記載した範囲で種々の変形や改良が可能である。例えば、調整装置４１において、第一の変更例として、図３２に示すように、ピース１５１と前壁４７との間に介在するバネ１５２を一個としても良い。これにより、調整装置４１を構成する部品数を減らすことが可能となる。
【００８９】
調整装置の第二の変更例として、図３３乃至図３５に示すように、円弧部１６の外周側沿って、歯面が下方にある噛合部１５３を設ける。フレーム１５４には下方に向かって延出された支持部１５４Ａが設けられおり、支持部１５４Ａには、前後に貫通するネジ孔が形成されている。固定ハンドル４３はその軸４３Ａが支持部１５４Ａに形成されたネジ孔に螺合しており、固定ハンドル４３を回転することにより、固定ハンドル４３の先端が円弧部１６に当接して円弧部１６に対するフレーム１５４の位置を固定することが可能となっている。また軸４３Ａには、支持部１５４Ａの前後に跨って調整部材１５５が外挿されている。また軸４３Ａの支持部１５４Ａの前面と調整部材１５５との間にはバネ１５６が外挿されており、調整部材１５５を前方へ付勢している。調整部材１５５の後端部には、噛合部１５３と噛合可能な歯車１５５Ａが設けられており、調整部材１５５の前端部には、調整部材１５５を回動させるノブ１５５Ｂが設けられている。
【００９０】
調整部材１５５を用いて微調整を行う場合には、フレーム１５４が設けられたターンテーブル２１を所定の角度付近まで回動させた後、調整部材１５５を後側へ押し込み、歯車１５５Ａと噛合部１５３とを噛合させる。この状態でノブ１５５Ｂを回転し、所定の角度に微調整する。その後に固定ハンドル４３を締め込み、円弧部１６に対するフレーム１５４の位置を固定する。
【００９１】
傾動微調整部の第一の変更例としては、図３６に示すように、微調整ノブ１６３のクランプレバー１６１と当接する個所に、バネ１６４を設ける。これにより、微調整ノブ１６３は、スペーサ１６２を介して傾動部７４を押圧することになり、回動壁７８と傾動支持部７１との間に摩擦が発生する。クランプレバー１６１の開放により傾動支持部７１と傾動部７４との間の当接が解離されると、切断部４は自重により傾動しようとするが、微調整ノブ１６３及びバネ１６４により、傾動部７４と傾動支持部７１との間に摩擦が発生するため、切断部４の自重による傾動を抑制することが可能となる。また、微調整ノブ１６３は、バネ１６４で押圧されることにより回転が抑制される。微調整ノブ１６３と傾動部７４は、回転軸９３を介して接続されているため、微調整ノブ１６３の回転が抑制されることにより、傾動部７４の回動も抑制される。よって、切断部４の自重による傾動も抑制され、傾動微調整時に、例えば手などで切断部４を所定の角度で保持する必要なく微調整を行うことが可能となる。
【００９２】
傾動微調整部の第二の変更例としては、図３７及び図３８に示すように、傾動円弧歯車９２と選択的に噛合するウォーム１６６を微調整軸１６７に設ける。微調整軸１６７は、軸支持部１６９の軸心を中心に回転可能に設けられており、軸支持部１６９は、傾動支持部７４下方のターンテーブル２１側面に回動可能に設けられている。また、軸支持部１６９と略同一面上にストッパ１７０が突出して設けられており、微調整軸１６７は、軸支持部１６９から突出するストッパ１７０と傾動円弧歯車９２との間に位置している。
【００９３】
当該第二の変更例に係る傾動微調整部では、通常時には、図３７に示すように、ウォーム１６６が非噛合位置に位置して傾動円弧歯車９２と解離している。切断部４を所定の角度にする場合には、図３８に示すように、切断部４を所定の角度付近に回動させた後にウォーム１６６を噛合位置に移動して傾動円弧歯車９２と噛合させる。これにより、切断部４は所定の角度付近で保持される。その後に微調整ノブ１６８を回転してウォーム１６６により傾動円弧歯車９２を回転させて傾動部７４を微調整し切断部４を所定の角度にする。そしてクランプレバー８２を締めて固定する。
【００９４】
また、傾動微調整部のその他の変更例として。図３９に示すように、長孔１７０を、クランプシャフト８１に対して相対的に時計回り、反時計回りにそれぞれ約４５°動くようにしても良い。これにより、傾動支持部７１に対する傾動部７４の回動量が増え、例えば傾動部７４に連結される切断部４の傾斜角度を右若しくは左の片側のみではなく、左右両方にそれぞれ約４５°傾動させることが可能となる。また図４０に示すように、長孔１７１を傾動部７４の略円周部に位置しても良い。
【００９５】
傾動量検出ユニットの第一の変更例としては、図４１に示すように、傾動量検出ユニット１７１の、第一歯車１７３の回転軸１７４と被検出部１７７の回転軸１７８と伝達部である第二歯車１７５の回転軸１７６とが、回転軸１７４と回転軸１７８とを結ぶ線を底辺とし、回転軸１７６を頂点とする略三角形状になるように配置する。回転軸１７６は、図４１及び図４２に示すように、ハウジング１７２と分離した伝達部固定部である支持部１７９により支持されている。支持部１７９は、回転軸１７４と回転軸１７８とを結ぶ線と略直交する方向に移動可能である。また支持部１７９は、ネジ１８０によりハウジング１７２に固定可能となっている。
【００９６】
傾動量検出ユニット１７１で、支持部１７９を回転軸１７４と回転軸１７８とを結ぶ線側に付勢し、第二歯車１７５と第一歯車１７３及び被検出部１７７とが当接した状態で、ネジ１８０を締め、支持部１７９をハウジング１７２に固定する。これにより、第一歯車１７３と第二歯車１７５と被検出部１７７との間にガタが発生しなくなり、第一歯車１７３の回転量に対する被検出部１７７の回転量をより正確とし、光センサ１８０における検出精度をより高めることが可能となる。また、支持部１７９をネジ１８０で固定せず、回転軸１７４と回転軸１７８とを結ぶ線上側に例えばバネ等の伝達部押圧部により押圧してもよい。
【００９７】
傾動量検出ユニットの第二の変更例としては、図４３に示すように、第一の実施の形態に係る傾動量検出ユニット１０１からバネ１０５を取り除いた形状であっても良い。この第二の変更例では、傾動量検出ユニット１０１をピン１０３を軸として回動させ、弧状内歯車７７に第一ギア１０６Ａを当接させ、ガタが発生しない状態で固定ネジ１１４を締め込む。これにより、傾動量検出ユニット１０１は弧状内歯車７７に対してガタが発生しない位置で固定されることになり、傾動支持部７１に対する傾動部７４の回動を正確に検出することが可能となる。
【００９８】
また、他の変更例として、被検出部を非検出部の軸で回転させる極低出力、低電力のモータをそなえた構成としても良い。このモータにより被検出部に回転の軸力を与えることにより、第二歯車、第一歯車にも軸力が伝達される。第一歯車は弧状内歯車と噛合しているため、これら被検出部、第二歯車、第一歯車がモータにより回転することはない。しかし常に回転の軸力が加わっているため各歯車間にはガタが発生せず、かつ弧状内歯車と傾動量検出ユニットとが相対的に動いた場合にもモータによる反力は僅かであるため、特に弧状内歯車と傾動量検出ユニットとの相対的な動きを阻害することはない。また、停電力のモータを用いることにより、主電源が接続されていない状態でも電池ボックス１３２で電力を供給することが可能となる。
【００９９】
これら傾動量検出ユニットの変更例は、回動量検出ユニットの対応する箇所にも適応可能である。また、実施の形態及び変更例共に歯車により被検出部を回転させているが、これに限らず例えば摩擦車を用いて回転を増幅、伝達しても良い。
【０１００】
第一の実施の形態に係る卓上丸鋸１では、電池ボックス１３２を有して、常時ターンテーブル２１の回動量及び切断部４の傾動量を測定しているが、これに限らず、図４４に示すように、電池ボックス１３２を設けなくても良い。この場合においてはＡＣ電源が接続されてない状態でターンテーブル２１等が回動された場合に、その回動角度をマイコン１４２で演算することができず、その後にＡＣ電源を接続した場合にターンテーブル２１の回動角及び切断部４の傾斜角が不明である。この場合、デジタル表示部１３１にゼロ設定が必要な旨の表示をしてもよい。よって、ターンテーブル２１の回動角及び切断部４の傾斜角をそれぞれ０°にした後にＭｉｔｅｒリセットスイッチ１４８及びＢｅｖｅｌリセットスイッチ１４９を押して初期化し、その後にターンテーブル２１の回動等を行う。
【０１０１】
また、電池ボックス１３２の配置個所は、第一の弧状凹部２４内に限らず、例えばベース１１の下面位置に設けても良い。
【０１０２】
また、図４５に示すように、卓上丸鋸１８１の支持部１８５に、前後方向に移動可能なスライド部１８７を支持する摺動支持部１８６Ａを他端に備えた保持部１８６を設けても良い。スライド部１８７の一端には、摺動部材である図示せぬガイドバーが一体に設けられており、図示せぬガイドバーは摺動支持部１８６Ａで摺動可能に支持されている。スライド部１８７の他端には揺動支持腕１８８が設けられている。よって、スライド部１８７が揺動支持部１８６Ａに対して前後に摺動することにより、この揺動支持腕１８８に揺動支持ピン１８８Ａで支持された切断部１８９がベース１８２及びターンテーブル１８３上で前後に移動することが可能となる。
【０１０３】
保持部１８６は一端が傾動支持部１８４で切断溝１９１ａと同位置かつターンテーブル１８３の上面と同位置に回動可能に支持されており、切断溝１９１ａは、切断部１８９が前後に移動した際にも丸鋸刃１９２を収容可能な位置に設けられている。また傾動支持部１８４はターンテーブル１８３と一体に設けられている。よって、切断部１８９の傾動動作、及びターンテーブル１８３の回動動作は、第一の実施の形態と同様に行うことが可能である。
【０１０４】
上述した種々の変更例は、それぞれ単独で実施するほか、それぞれの変更例を組み合わせて実施することも可能である。また卓上丸鋸１８１に種々の変更例を適応して実施することも可能である。
【図面の簡単な説明】
【０１０５】
【図１】第一の実施の形態に係る卓上切断機の前面斜視図。
【図２】第一の実施の形態に係る卓上切断機の後面斜視図。
【図３】第一の実施の形態に係る卓上切断機の前面図。
【図４】第一の実施の形態に係る卓上切断機の傾動時の前面図。
【図５】第一の実施の形態に係る卓上切断機の下面図。
【図６】第一の実施の形態に係る卓上切断機の左側面断面図。
【図７】第一の実施の形態に係る卓上切断機の右側面要部断面図。
【図８】第一の実施の形態に係る卓上切断機のターンテーブルの下面図。
【図９】第一の実施の形態に係る卓上切断機の微調整部付近の右側面図。
【図１０】第一の実施の形態に係る卓上切断機の微調整部付近の下面透視図。
【図１１】第一の実施の形態に係る卓上切断機のターンテーブルの下面詳細図。
【図１２】第一の実施の形態に係る卓上切断機のターンテーブル回動支持部周辺の断面詳細図。
【図１３】第一の実施の形態に係る卓上切断機の回動検出ユニットの平面透視図。
【図１４】第一の実施の形態に係る卓上切断機の回動検出ユニットのピン付近の断面詳細図。
【図１５】第一の実施の形態に係る卓上切断機の傾動支持部と傾動部との位置関係を示す断面図。
【図１６】第一の実施の形態に係る卓上切断機の傾動部付近の後面図。
【図１７】第一の実施の形態に係る卓上切断機の傾動部と傾動微調整部との関係を表す図。
【図１８】図１７のＸＶIII−ＸＶIII線に沿った断面図。
【図１９】第一の実施の形態に係る卓上切断機の傾動量検出ユニット周辺の詳細図。
【図２０】図１９のＸＸ−ＸＸ線に沿った断面図。
【図２１】第一の実施の形態に係る卓上切断機の傾動量検出ユニット周辺の詳細図（バネ圧縮状態）。
【図２２】図１９のＸＸＩＩ−ＸＸＩＩ線に沿った断面図。
【図２３】第一の実施の形態に係る卓上切断機のデジタル表示部の平面図。
【図２４】第一の実施の形態に係る卓上切断機の回路図。
【図２５】図９のＸＸＩＶ−ＸＸＩＶ断面の断面図。
【図２６】第一の実施の形態に係る卓上切断機の回動微調整に係る平面図。
【図２７】第一の実施の形態に係る卓上切断機の回動微調整に係る平面図（仮固定状態）。
【図２８】第一の実施の形態に係る卓上切断機の回動微調整に係る平面図（微調整中）。
【図２９】第一の実施の形態に係る卓上切断機の回動微調整に係る平面図（本固定状態）。
【図３０】第一の実施の形態に係る卓上切断機の傾動微調整に係る後面図。
【図３１】第一の実施の形態に係る卓上切断機の傾動、回動に係る制御を表すフローチャート図。
【図３２】第一の実施の形態に係る卓上切断機の調整装置の第一の変更例に係る平面図。
【図３３】第一の実施の形態に係る卓上切断機の調整装置の第二の変更例に係る断面図。
【図３４】第一の実施の形態に係る卓上切断機の調整装置の第二の変更例に係る下面図。
【図３５】第一の実施の形態に係る卓上切断機の調整装置の第二の変更例に係る前面断面図。
【図３６】第一の実施の形態に係る卓上切断機の傾動微調整部の第一の変更例に係る断面図。
【図３７】第一の実施の形態に係る卓上切断機の傾動微調整部の第二の変更例に係る後面図（傾動状態）。
【図３８】第一の実施の形態に係る卓上切断機の傾動微調整部の第二の変更例に係る後面図（仮固定状態）。
【図３９】第一の実施の形態に係る卓上切断機の傾動微調整部のその他変更例（長孔変更）に係る後面図。
【図４０】第一の実施の形態に係る卓上切断機の傾動微調整部のその他変更例（長孔位置変更）に係る後面図。
【図４１】第一の実施の形態に係る卓上切断機の傾動量検出ユニットの第一の変更例にかかる後面図。
【図４２】図４１のＸＬＩ−ＸＬＩ断面の断面図。
【図４３】第一の実施の形態に係る卓上切断機の傾動量検出ユニットの第二の変更例にかかる後面図。
【図４４】第一の実施の形態の変更例として卓上切断機の電池ボックスを有しない回路図。
【図４５】第一の実施の形態に係る変更例としてスライド機構を備えた卓上切断機の前面斜視図。
【図４６】第一の実施の形態に係る卓上切断機の回動量検出ユニットの被検出要素に形成されたスリットにより発生する２つのパルスを示す概略図。
【図４７】第一の実施の形態に係る卓上切断機の傾動量検出ユニットの被検出要素に形成されたスリットにより発生する２つのパルスを示す概略図。
【符号の説明】
【０１０６】
１  卓上丸鋸    ２  ベース部    ３  支持部    ４  切断部    １１  ベース
１１Ａ  右ベース    １１Ｂ  左ベース    １２  フェンス    １２Ａ  右フェンス
１２Ｂ  左フェンス    １２Ｃ  回動フェンス    １２Ｄ  回転軸    １５  連結部
１６  円弧部    １６ａ  係止溝    １９  回動支持部    ２０  弧状外歯車
２０Ａ  ネジ    ２１  ターンテーブル    ２１Ａ  当接板    ２２  円台部
２３  首台部    ２３Ｂ  凸部    ２４  弧状凹部    ２５  切断溝プレート
２５ａ  切断溝    ２６  ロックレバー    ２６Ａ  押下部    ２６Ｂ  凸部
２６Ｃ  舌片    ２７  ネジ    ２８  回動軸部    ３０  ピン固定部
３１  ネジ固定部    ３２  ボルト    ４１  調整装置    ４２  フレーム
４２Ａ  当接部    ４２ａ  開口部    ４３  固定ハンドル    ４３Ａ  軸
４４  調整ネジ    ４４Ａ  軸    ４５  ピース    ４６  バネ    ４７  前壁
４８  後壁    ４９  ロックレバー固定ピン    ４９ａ  固定溝    ５０  バネ
５１  回動量検出ユニット    ５２  ハウジング    ５２Ａ  当接部    ５３  ピン孔
５４  ネジ固定部    ５５  バネ    ５６  第一歯車    ５６Ａ  第一ギア
５６Ｂ  第二ギア    ５７  軸    ５８  第二歯車    ５８Ａ  第三ギア
５８Ｂ  第四ギア    ５９  軸    ６０  被検出部    ６０Ａ  第五ギア
６０Ｂ  被検出要素    ６１  軸    ６２  光センサ    ６３  ピン    ６４  ネジ
６４Ａ  バネ    ７１  傾動支持部    ７１ａ  凹部    ７２  支持孔
７３  クランプ孔    ７４  傾動部    ７５  回動孔    ７６  ピン状ボルト
７７  弧状内歯車    ７８  回動面    ７９  長孔    ８０  長孔縁
８１  クランプシャフト    ８２  クランプレバー    ８３  スペーサ    ８３Ａ  バネ
８４  揺動支持腕    ８５  揺動支持ピン    ８６  アーム支持部
９１  傾動微調整部    ９２  微調整歯車    ９３  回転軸９３Ａ  第一ギア
９３Ｂ  第二ギア    ９４  調整ノブ    ９４Ａ  第三ギア
１０１  傾動量検出ユニット    １０２  ハウジング    １０３  ピン孔
１０４  ネジ固定部    １０５  バネ    １０６  第一歯車    １０６Ａ  第一ギア
１０６Ｂ  第二ギア    １０７  軸    １０８  第二歯車    １０８Ａ  第三ギア
１０８Ｂ  第四ギア    １０９  軸    １１０  被検出部    １１０Ａ  第五ギア
１１０Ｂ  被検出要素    １１１  軸    １１２  光センサ    １１３  ピン
１１４  ネジ    １１４Ａ  バネ    １２１  フレーム    １２２  モータ
１２３  丸鋸刃    １２４  回転軸    １２５  鋸刃カバー
１２６  セーフティカバー    １２７  アーム    １２８  ハンドル
１２９  移動用ハンドル    １３１  デジタル表示部    １３２  電池ボックス
１４２  マイコン    １４４  Ｍｉｔｅｒ用エンコーダ
１４５  Ｂｅｖｅｌ用エンコーダ    １４６  ＡＣ／ＤＣコンバータ
１４７  レギュレータ    １４８  Ｍｉｔｅｒ用リセットスイッチ
１４９  Ｂｅｖｅｌ用リセットスイッチ    １５０  バックライトスイッチ
【図１】
2006015574.tif 000003
【図２】
2006015574.tif 000004
【図３】
2006015574.tif 000005
【図４】
2006015574.tif 000006
【図５】
2006015574.tif 000007
【図６】
2006015574.tif 000008
【図７】
2006015574.tif 000009
【図８】
2006015574.tif 000010
【図９】
2006015574.tif 000011
【図１０】
2006015574.tif 000012
【図１１】
2006015574.tif 000013
【図１２】
2006015574.tif 000014
【図１３】
2006015574.tif 000015
【図１４】
2006015574.tif 000016
【図１５】
2006015574.tif 000017
【図１６】
2006015574.tif 000018
【図１７】
2006015574.tif 000019
【図１８】
2006015574.tif 000020
【図１９】
2006015574.tif 000021
【図２０】
2006015574.tif 000022
【図２１】
2006015574.tif 000023
【図２２】
2006015574.tif 000024
【図２３】
2006015574.tif 000025
【図２４】
2006015574.tif 000026
【図２５】
2006015574.tif 000027
【図２６】
2006015574.tif 000028
【図２７】
2006015574.tif 000029
【図２８】
2006015574.tif 000030
【図２９】
2006015574.tif 000031
【図３０】
2006015574.tif 000032
【図３１】
2006015574.tif 000033
【図３２】
2006015574.tif 000034
【図３３】
2006015574.tif 000035
【図３４】
2006015574.tif 000036
【図３５】
2006015574.tif 000037
【図３６】
2006015574.tif 000038
【図３７】
2006015574.tif 000039
【図３８】
2006015574.tif 000040
【図３９】
2006015574.tif 000041
【図４０】
2006015574.tif 000042
【図４１】
2006015574.tif 000043
【図４２】
2006015574.tif 000044
【図４３】
2006015574.tif 000045
【図４４】
2006015574.tif 000046
【図４５】
2006015574.tif 000047
【図４６】
2006015574.tif 000048
【図４７】
2006015574.tif 000049